(57)【要約】【課題】浴槽の形状によらずに浴槽の排水状態を精度よく判定することができる給湯装置を提供する。【解決手段】給湯装置は、浴槽の水位を検出する水位検出手段と、水位検出手段により検出された水位に基づいて、水位が低下している過程の水位低下速度と相関する指標値を算出し、指標値が第１基準値から第２基準値の間の基準範囲に属する場合に浴槽が排水状態であることを判定する制御部と、を備える。制御部は、基準範囲を変更する変更手段と、浴槽が排水状態である場合の指標値が基準範囲に属しない場合に、変更手段による基準範囲の変更を促す報知を行う報知手段と、を備える。【選択図】図７
2018105575.tif 000002
【特許請求の範囲】
【請求項１】
浴槽の水位を検出する水位検出手段と、前記水位検出手段により検出された水位に基づいて、前記水位が低下している過程の水位低下速度と相関する指標値を算出し、前記指標値が第１基準値から第２基準値の間の基準範囲に属する場合に前記浴槽が排水状態であることを判定する制御部と、を備える給湯装置において、
前記制御部は、
前記基準範囲を変更する変更手段と、
前記浴槽が排水状態である場合の前記指標値が前記基準範囲に属しない場合に、前記変更手段による前記基準範囲の変更を促す報知を行う報知手段と、
を備えることを特徴とする給湯装置。
【請求項２】
前記制御部は、単位水位低下量当たりの経過時間である水位低下時間を、前記指標値として算出するように構成されていることを特徴とする請求項１に記載の給湯装置。
【請求項３】
前記変更手段は、前記基準範囲の下限を前記第１基準値から前記第１基準値よりも小さい第３基準値へと拡げる第１変更動作を含み、
前記報知手段は、前記水位低下時間が前記第１基準値よりも小さい場合に、前記第１変更動作を促す報知を行うように構成されていることを特徴とする請求項２に記載の給湯装置。
【請求項４】
前記変更手段は、前記基準範囲の上限を前記第２基準値から前記第２基準値よりも大きい第４基準値へと拡げる第２変更動作を含み、
前記報知手段は、前記水位低下時間が前記第２基準値よりも大きい場合に、前記第２変更動作を促す報知を行うように構成されていることを特徴とする請求項２又は請求項３に記載の給湯装置。
【請求項５】
前記制御部は、前記水位低下時間が前記第３基準値よりも小さい場合に、排水に異常があることを報知するように構成されていることを特徴とする請求項３に記載の給湯装置。
【請求項６】
前記制御部は、前記水位低下時間が前記第４基準値よりも大きい場合に、排水に異常があることを報知するように構成されていることを特徴とする請求項４に記載の給湯装置。
【請求項７】
前記浴槽の水を循環させるための循環回路と、
前記循環回路に設置された気泡発生装置と、
前記循環回路に水を循環させるポンプと、を備え、
前記制御部は、前記指標値が前記基準範囲に属する場合に、前記ポンプを駆動させるとともに前記気泡発生装置を動作させるように構成されていることを特徴とする請求項１から請求項６の何れか１項に記載の給湯装置。
【発明の詳細な説明】
【技術分野】
【０００１】
本発明は、給湯装置に関する。
【背景技術】
【０００２】
従来、例えば特許文献１には、浴槽の水位を検出する水位センサを備えた追い焚き機能付きの給湯機に関する技術が開示されている。追い焚き機能付きの給湯機は、浴槽水を循環させるふろ側送水回路と、ふろ側送水回路に設置された熱交換器と、を備えている。追い焚き運転では、浴槽水がふろ側送水回路及び熱交換器に循環される。このため、ふろ側送水回路及び熱交換器の内面には、浴槽水中の皮脂又は角質等の汚れが付着する。付着した汚れは、熱交換効率の低下又は配管の詰りによる循環不良などの原因となり得る。
【０００３】
特許文献１の給湯機では、水位センサによって浴槽の水位低下が検知された場合に、ふろ側送水回路内に微小泡が導入される。これにより、浴槽水を排水している間に、ふろ側送水回路を構成する配管及び熱交換器内が自動的に洗浄される。
【先行技術文献】
【特許文献】
【０００４】
【特許文献１】特開２００９−２９３８８４号公報
【発明の概要】
【発明が解決しようとする課題】
【０００５】
排水中の浴槽内の水位の変化は、浴槽の形状によって異なる。具体的には、浴槽内の水平断面積が小さいほど、排水量に対する水位変化が大きくなる。このため、単純に水位低下の速度だけでは、浴槽内が排水中か否かを精度よく判定することができないおそれがある。
【０００６】
本発明は、上述のような課題を解決するためになされたもので、浴槽の形状によらずに浴槽の排水状態を精度よく判定することができる給湯装置を提供することを目的とする。
【課題を解決するための手段】
【０００７】
本発明に係る給湯装置は、浴槽の水位を検出する水位検出手段と、水位検出手段により検出された水位に基づいて、水位が低下している過程の水位低下速度と相関する指標値を算出し、指標値が第１基準値から第２基準値の間の基準範囲に属する場合に浴槽が排水状態であることを判定する制御部と、を備える給湯装置において、制御部は、基準範囲を変更する変更手段と、浴槽が排水状態である場合の指標値が基準範囲に属しない場合に、変更手段による基準範囲の変更を促す報知を行う報知手段と、を備えるものである。
【発明の効果】
【０００８】
本発明の給湯装置によれば、水位低下速度と相関する指標値が基準範囲に属しない場合に、基準範囲の変更を促す報知が行われる。これにより、浴槽の形状によらずに、浴槽の排水状態を精度よく判定することが可能な給湯装置を提供することが可能となる。
【図面の簡単な説明】
【０００９】
【図１】実施の形態１における給湯装置としての貯湯式給湯機の構成図である。
【図２】実施の形態１の貯湯式給湯機の制御ブロック図である。
【図３】実施の形態１の貯湯式給湯機の沸き上げ運転時の回路構成図である。
【図４】実施の形態１の貯湯式給湯機の湯張り運転時の回路構成図である。
【図５】実施の形態１の貯湯式給湯機の浴槽水循環運転時の回路構成図である。
【図６】浴槽水排水判定において実行される制御ルーチンのフローチャートである。
【図７】水位低下時間と基準範囲との関係を示す図である。
【図８】使用者へモード設定を促す報知の一例を示す図である。
【図９】排水異常の報知例を示す図である。
【発明を実施するための形態】
【００１０】
以下、図面を参照して実施の形態について説明する。
【００１１】
実施の形態１．
図１は、実施の形態１における給湯装置としての貯湯式給湯機１００の構成図である。図１に示す貯湯式給湯機１００は、貯湯タンクユニット１と、ヒートポンプサイクルを利用するように構成されたヒートポンプユニット６０とを備えている。２つのユニット１、６０は、ヒートポンプ入口配管４１とヒートポンプ出口配管４２とによって接続されている。また、貯湯タンクユニット１には、制御部７０が内蔵されている。貯湯タンクユニット１およびヒートポンプユニット６０が備える各種の弁類、ポンプ類等の作動は、これらと配線を介して接続された制御部７０により制御される。以下、貯湯式給湯機１００の各構成要素について説明する。
【００１２】
ヒートポンプユニット６０は、貯湯タンクユニット１から導かれた低温水を加熱するための加熱手段として機能するものである。ヒートポンプユニット６０は、圧縮機６１、沸き上げ用熱交換器６２、膨張弁６３、空気熱交換器６４を冷媒循環配管６５にて環状に接続し、ヒートポンプサイクルを構成している。沸き上げ用熱交換器６２は、ヒートポンプサイクルを構成する冷媒循環配管６５を流れる冷媒と貯湯タンクユニット１から導かれた低温水との間で熱交換を行うためのものである。また、ＨＰ出口側サーミスタ６６は、沸き上げ用熱交換器６２で加熱した高温水の温度を検知するための温度センサであり、ヒートポンプ出口配管４２に設けられている。ヒートポンプユニット６０で高温水を得るためには、ヒートポンプサイクルは、冷媒として二酸化炭素を用い、臨界圧を越える圧力で運転することが好ましい。
【００１３】
一方、貯湯タンクユニット１には、以下の各種部品及び配管などが内蔵されている。貯湯タンク１０は、湯水を貯留するためのものである。貯湯タンク１０の下部には、市水を供給するための給水配管２が接続されている。貯湯タンク１０の上部には、第１タンク上部配管４３と第２タンク上部配管４４とが接続されている。第２タンク上部配管４４の途中には、貯留した湯水を給湯機外部へ供給するための給湯配管３が接続されている。尚、貯湯タンク１０には、ヒートポンプユニット６０を用いて加熱された高温水がタンク上部から流入されるとともに、給水配管２を介して低温水をタンク下部から流入させることにより、タンク内の上部と下部で温度差が生じるように湯水が貯留される。また、貯湯タンク１０の表面の上部および下部には、貯湯タンク１０内の湯水の温度分布を検知するための残湯サーミスタ１１、１２がそれぞれ取り付けられている。これらの残湯サーミスタ１１、１２により取得された温度分布に基づいて、貯湯タンク１０内の残湯量が把握され、ヒートポンプユニット６０による貯湯タンク１０内の湯水の沸き上げ運転の開始および停止などが制御される。
【００１４】
また、貯湯タンクユニット１内には、循環ポンプ２１および利用側熱交換器２２が内蔵されている。循環ポンプ２１は、貯湯タンクユニット１内の後述する各種配管に湯水を循環させるためのポンプである。利用側熱交換器２２は、貯湯タンク１０又はヒートポンプユニット６０から供給される高温水を利用して、２次側の加熱対象水を加熱するための熱交換器である。尚、本実施形態では、利用側熱交換器２２の２次側の構成として、浴槽５０内の水を循環させる浴槽水循環回路５１が設けられている。上記利用側熱交換器２２は、浴槽水循環回路５１の途中に設置されている。また、浴槽水循環回路５１の途中には、浴槽水を循環させるための２次側循環ポンプ５２と、浴槽５０から出た浴槽水の水温を検出するための浴槽出口側サーミスタ５３がそれぞれ設置されている。また、浴槽水循環回路５１の途中には、浴槽水循環回路５１の水流の有無を検出するフロースイッチ５８と、浴槽５０の水位を検出する水位検出手段としての水位センサ５９と、がそれぞれ設置されている。
【００１５】
次に、貯湯タンクユニット１が備える弁類および配管類について説明する。貯湯タンクユニット１は、第１三方弁３１、第２三方弁３２、および四方弁３３を有している。第１三方弁３１及び第２三方弁３２は、湯水が流入する２つの入口であるａポート及びｂポートと、湯水が流出する１つの出口であるｃポートとを有する流路切替手段である。第１三方弁３１及び第２三方弁３２は、ａポートもしくはｂポートのどちらかから湯水が流入するように湯水の経路を切り替え可能に構成されている。四方弁３３は、湯水が流入する２つの入口であるｂポート及びｃポートと、湯水が流出する２つの出口であるａポート及びｄポートとを有する流路切替手段である。四方弁３３は、３つの経路、すなわち、ｃ−ａ経路、ｃ−ｄ経路、およびｂ−ａ経路の間で流路形態を切り替え可能に構成されている。
【００１６】
また、貯湯タンクユニット１は、タンク下部配管４０、上記ヒートポンプ入口配管４１、上記ヒートポンプ出口配管４２、上記第１タンク上部配管４３、上記第２タンク上部配管４４、タンク戻し配管４５、利用側熱交換器１次側入口配管４６、利用側熱交換器１次側出口配管４７、バイパス配管４８、及びタンク上部戻し配管４９を有している。
【００１７】
より具体的には、タンク下部配管４０は、貯湯タンク１０の下部と第２三方弁３２のａポートとを接続する流路である。また、ヒートポンプ入口配管４１は、第２三方弁３２のｃポートとヒートポンプユニット６０の入口側とを接続する流路である。また、ヒートポンプ出口配管４２は、ヒートポンプユニット６０の出口側と四方弁３３のｃポートとを接続する流路である。また、タンク上部戻し配管４９は、四方弁３３のｄポートと第１三方弁３１のｂポートとを接続する流路である。第１タンク上部配管４３は、貯湯タンク１０の上部と第１三方弁３１のａポートとを接続する流路である。第２タンク上部配管４４は、貯湯タンク１０の上部とタンク上部戻し配管４９の途中とを接続する流路である。そして、タンク戻し配管４５は、四方弁３３のａポートと貯湯タンク１０の中央部から下部の間に設けられた戻し口とを接続する流路である。また、利用側熱交換器１次側入口配管４６は、第１三方弁３１のｃポートと利用側熱交換器２２の１次側入口とを接続する流路である。また、利用側熱交換器１次側出口配管４７は、利用側熱交換器２２の１次側出口と第２三方弁３２のｂポートとを接続する流路である。更に、バイパス配管４８は、ヒートポンプ入口配管４１における循環ポンプ２１の出口側の部位と四方弁３３のｂポートとを接続する流路である。尚、上記循環ポンプ２１は、ヒートポンプ入口配管４１上におけるバイパス配管４８との接続部と第２三方弁３２との間に設置されている。
【００１８】
また、貯湯タンクユニット１は、ふろ給湯配管２３と電磁弁２４を有している。ふろ給湯配管２３は、第２タンク上部配管４４と給湯配管３との接続部と浴槽水循環回路５１における利用側熱交換器２２の入口側とを接続している。電磁弁２４は、ふろ給湯配管２３の途中に配置されている。
【００１９】
ふろ給湯配管２３の途中には、注水用微細気泡発生装置２５が設置されている。注水用微細気泡発生装置２５は、浴槽５０への注水時に微細気泡を導入するための装置である。また、浴槽水循環回路５１の途中には、循環用微細気泡発生装置５４が設置されている。循環用微細気泡発生装置５４は、浴槽水の循環時に微細気泡を導入するための装置である。なお、注水用微細気泡発生装置２５及び循環用微細気泡発生装置５４は、微細気泡を発生させるための公知の構造を採用することができる。
【００２０】
実施の形態１の貯湯式給湯機１００は、リモコン７１を備えている。リモコン７１は、例えば浴室又は台所等に設置されるものであり、通信線を介して制御部７０と接続されている。図２は、実施の形態１の貯湯式給湯機１００の制御ブロック図である。この図に示すように、制御部７０の入力側には、フロースイッチ５８、水位センサ５９等のセンサ類が接続されている。また、制御部７０の出力側には、ヒートポンプユニット６０、２次側循環ポンプ５２、注水用微細気泡発生装置２５及び循環用微細気泡発生装置５４等が接続されている。制御部７０には、後述する水位低下タイマー７０１及び排水検知カウンタ７０２が内蔵されている。上述したリモコン７１には、貯湯式給湯機１００の各種制御を操作するための操作部７１１と、貯湯式給湯機１００の各種状態を表示するための表示部７１２とが設けられている。使用者は、操作部７１１を操作することにより、後述する沸き上げ運転、湯張り運転、注水用微細気泡発生装置２５又は循環用微細気泡発生装置５４の動作等に関する設定、運転開始指示等を行うことができる。
【００２１】
実施の形態１の貯湯式給湯機１００では、以下の図３〜図５に示す運転状態に応じて第１三方弁３１、第２三方弁３２及び四方弁３３を制御して、貯湯タンクユニット１内の湯水の流路を切り替えて使用するようになっている。図３は、実施の形態１の貯湯式給湯機１００の沸き上げ運転時の回路構成図である。制御部７０は、沸き上げ運転を実行する機能を備えている。なお、ここでいう沸き上げ運転とは、ヒートポンプユニット６０を利用して貯湯タンク１０内の水を沸き上げる運転のことである。この沸き上げ運転時には、第２三方弁３２は、ａポートとｃポートとが連通しｂポートが閉状態となるように制御される。これにより、タンク下部配管４０とヒートポンプ入口配管４１とが連通するとともに、利用側熱交換器１次側出口配管４７側を閉として利用側熱交換器２２からの流路が遮断される。また、沸き上げ運転時には、四方弁３３は、ｃポートとｄポートとが連通しａポートとｂポートとが閉状態となるように制御される。これにより、ヒートポンプ出口配管４２とタンク上部戻し配管４９とが連通するとともに、タンク戻し配管４５側を閉として貯湯タンク１０の下部への流路が遮断される。また、沸き上げ運転時には、第１三方弁３１は、ａポートとｃポートとが連通しｂポートが閉状態となるように制御される。これにより、第１タンク上部配管４３と利用側熱交換器１次側入口配管４６とが連通するとともに、タンク上部戻し配管４９側を閉として利用側熱交換器２２への流路が遮断される。
【００２２】
沸き上げ運転は、上記のように第１三方弁３１、第２三方弁３２、および四方弁３３が制御された状態で、循環ポンプ２１とヒートポンプユニット６０の運転を開始することにより実行される。その結果、貯湯タンク１０の下部から流出する低温の水は、タンク下部配管４０、第２三方弁３２、循環ポンプ２１およびヒートポンプ入口配管４１を経由してヒートポンプユニット６０に導かれる。そして、ヒートポンプユニット６０に流入した低温の水は、沸き上げ用熱交換器６２において加熱されて高温の水となる。加熱された高温の水は、ヒートポンプ出口配管４２、四方弁３３、タンク上部戻し配管４９及び第２タンク上部配管４４を経由して、貯湯タンク１０の上部から当該貯湯タンク１０内に流入し蓄積される。このような沸き上げ運転が実行されることで、貯湯タンク１０の内部では、上層部から高温水が貯えられていき、この高温水層が徐々に厚くなる。
【００２３】
また、図４は、実施の形態１の貯湯式給湯機１００の湯張り運転時の回路構成図である。制御部７０は、湯張り運転を実行する機能を備えている。なお、ここでいう湯張り運転とは、貯湯タンク１０内に蓄えた高温の水を浴槽５０に給湯する運転のことである。この湯張り運転時には、電磁弁２４が開弁されることにより、第２タンク上部配管４４、ふろ給湯配管２３から浴槽水循環回路５１を介して浴槽５０へと貯湯タンク内の湯が注水される。
【００２４】
次に、図５は、実施の形態１の貯湯式給湯機１００の浴槽水循環運転時の回路構成図である。制御部７０は、浴槽水循環運転を実行する機能を備えている。なお、ここでいう浴槽水循環運転とは、浴槽５０内の浴槽水を浴槽水循環回路５１内に循環させる運転である。この浴槽水循環運転時には、２次側循環ポンプ５２を運転することで、浴槽５０に張られた湯水が浴槽水循環回路５１内を循環する。
【００２５】
次に、実施の形態１の貯湯式給湯機１００の特徴的動作について説明する。実施の形態１の貯湯式給湯機１００では、浴槽５０に張られた浴槽水が排水状態であることを判定する浴槽水排水判定が行われる。浴槽５０内に浴槽水が張られた状態において、例えば使用者によって排水栓が抜かれると、浴槽５０は排水状態となる。浴槽水排水判定は、このような浴槽５０の排水状態を制御部７０が判定する制御である。一般的に、使用者による浴槽水の掻き出し或いは洗濯機での浴槽水の汲み上げによる水位低下速度は、浴槽５０の排水状態での水位低下速度よりも小さい。一方、使用者の出浴による水位低下速度は、浴槽５０の排水状態での水位低下速度よりも大きい。浴槽水排水判定では、これらの点に着目して、浴槽５０の排水状態を他の状態と区別して判定する。以下、フローチャートに沿って浴槽水排水判定によって実行される制御の具体的処理について説明する。
【００２６】
図６は、浴槽水排水判定において実行される制御ルーチンのフローチャートである。なお、図６に示す制御ルーチンは、水位センサ５９によって検出される浴槽５０の水位が予め決められた基準水位以下に低下した場合に実行される。図６に示す制御ルーチンのステップＳ１０１では、排水検知カウンタ７０２が０に初期化される。排水検知カウンタ７０２は、後述するステップＳ１０８の判定が認められた場合にインクリメントされるカウンタである。次のステップＳ１０２では、水位センサ５９によって浴槽５０の水位が検出される。このステップＳ１０２で検出された水位を初期水位Ｈ０と称する。次のステップＳ１０３では、水位低下タイマー７０１の経過時間ＴがＴ＝０に初期化されて、新たな経過時間Ｔの計測が開始される。
【００２７】
次のステップＳ１０４では、水位センサ５９によって浴槽５０の水位が再度検出される。このステップＳ１０４で検出された水位を比較水位Ｈ１と称する。次のステップＳ１０５では、初期水位Ｈ０と比較水位Ｈ１との差分で表される水位低下量（Ｈ０−Ｈ１）が予め設定された基準水位低下量（例えば１ｃｍ）以上か否かが判定される。その結果、Ｈ０−Ｈ１≧１ｃｍの成立が認められない場合には、未だ水位低下量が基準水位低下量に到達していないため、次のステップＳ１０６に移行する。
【００２８】
ステップＳ１０６では、経過時間Ｔが予め決められた判定時間以上か否かが判定される。ここでの判定時間は、使用者による浴槽水の掻き出し或いは洗濯機による浴槽水の汲み上げによって水位低下量が基準水位低下量以上となるのに要する時間として、予め設定された値（例えば１５ｓｅｃ）が使用される。ステップＳ１０６の判定の結果、経過時間Ｔ≧１５ｓｅｃの成立が認められない場合には、排水による水位低下の可能性があると判断されて、再度ステップＳ１０４の処理へと移行する。一方、経過時間Ｔ≧１５ｓｅｃの成立が認められた場合には、排水による水位低下ではないと判断されて、最初のステップＳ１０１の処理へと移行する。
【００２９】
ステップＳ１０５の処理の結果、Ｈ０−Ｈ１≧１ｃｍの成立が認められた場合には、水位低下量が基準水位低下量に到達したと判断されて、次のステップＳ１０７に移行する。ステップＳ１０７では、水位低下時間Ｔ１が算出される。水位低下時間Ｔ１は、単位水位低下量当たりの経過時間であり、経過時間Ｔ及び水位低下量（Ｈ０−Ｈ１）を用いた以下の次式（１）によって算出することができる。
Ｔ１＝Ｔ／（Ｈ０−Ｈ１）    ・・・（１）
【００３０】
次のステップＳ１０８では、水位低下時間Ｔ１が予め定められた基準範囲に属するか否かが判定される。ここでの基準範囲は、浴槽５０の水位低下が排水によるものか他の要因によるものかを判定するためのものである。より詳しくは、基準範囲の下限は、入浴者の出浴による急激な水位低下を判断するための閾値であって、予め設定された第１基準値（例えば２ｓｅｃ）が使用される。また、基準範囲の上限は、使用者による浴槽水の掻き出し或いは洗濯機による浴槽水の汲み上げによる緩やかな水位低下を判断するための閾値であって、予め設定された第２基準値（例えば１５ｓｅｃ）が使用される。
【００３１】
ステップＳ１０８の判定の結果、２ｓｅｃ≦Ｔ１≦１５ｓｅｃの成立が認められない場合には、排水による水位低下ではないと判断されて、最初のステップＳ１０１の処理へと移行する。一方、上記ステップＳ１０８の判定の成立が認められた場合には、排水による水位低下である可能性があると判断されて、次のステップＳ１０９に移行する。ステップＳ１０９では、排水検知カウンタ７０２が＋１だけインクリメントされる。
【００３２】
次のステップＳ１１０では、排水検知カウンタ７０２が基準回数以上か否かが判定される。ここでの基準回数は、水位低下が排水によるものであることを決定づけるための回数として、予め設定された値（例えば３回）が使用される。ステップＳ１１０の判定の結果、排水検知カウンタ≧３の成立が認められない場合には、上記ステップＳ１０２の処理に戻る。一方、ステップＳ１１０の判定の成立が認められた場合には、次のステップＳ１１１に移行し、浴槽５０が排水状態であることが判定される。
【００３３】
以上説明した制御ルーチンによれば、浴槽５０の排水状態を他の状態と区別して判定することができる。
【００３４】
浴槽水排水判定の判定結果は、例えば排水状態で動作させる運転の開始判定に使用することができる。このような運転としては、例えば浴槽水の排水中に浴槽水循環回路５１の洗浄を行う洗浄運転がある。洗浄運転では、浴槽５０が排水状態であると判定された場合に、２次側循環ポンプ５２を駆動して浴槽水循環運転が行われる。また、循環用微細気泡発生装置５４が動作されて、発生した微細気泡を浴槽水循環回路５１内に循環させることが行なわれる。さらに、浴槽５０の水位が予め設定された低水位まで低下した場合に、予め設定された短時間の間、注水用微細気泡発生装置２５を動作させるとともに湯張り運転が行なわれる。これにより、配管及び利用側熱交換器２２内に堆積していた汚れが洗浄される。
【００３５】
このように、浴槽水排水判定の判定結果は、貯湯式給湯機１００の他の運転動作に利用されるため、高精度であることが求められる。しかしながら、浴槽水排水判定で用いられる水位低下時間Ｔ１は、浴槽５０の形状の影響を受ける。すなわち、例えば、浴槽５０内の水平断面積が小さいほど水位低下時間Ｔ１が長くなる。このため、浴槽５０の形状を何ら考慮せずに水位低下時間Ｔ１と基準範囲との比較を行うと、浴槽５０の排水状態を誤って判定するおそれがある。
【００３６】
そこで、実施の形態１の貯湯式給湯機１００では、使用者がモードの設定を行うことにより、基準範囲を変更する変更手段としての構成を備えている。図７は、水位低下時間と基準範囲との関係を示す図である。この図に示すように、制御部７０は、基準範囲を拡げる設定変更を行うためのモードとして、モードＡとモードＢを備えている。モードＡは、基準範囲の下限を第１基準値から第１基準値よりもさらに小さい第３基準値に変更するモードである。制御部７０がモードＡを設定する動作を第１変更動作と称する。第１変更動作によれば、基準範囲が下限としての第３基準値から上限としての第２基準値までとなる。第３基準値は、浴槽５０の水平断面積が規格外に小さい場合に取り得る水位低下時間として予め定められた値（例えば１ｓｅｃ）が使用される。
【００３７】
モードＢは、基準範囲の上限を第２基準値から第２基準値よりもさらに大きい第４基準値に変更するモードである。制御部７０がモードＢを設定する動作を第２変更動作と称する。第２変更動作によれば、基準範囲が上限としての第２基準値から上限としての第４基準値までとなる。第４基準値は、浴槽５０の水平断面積が規格外に大きい場合に取り得る水位低下時間として予め定められた値（例えば１６ｓｅｃ）が使用される。
【００３８】
制御部７０は、浴槽５０の排水状態においてモード設定要否の判定を行う。モード設定要否の判定では、浴槽５０の排水状態において水位低下時間Ｔ１が基準範囲の下限を下回る場合に、モードＡを設定することを促す報知を行う。また、制御部７０は、浴槽５０の排水状態において水位低下時間Ｔ１が基準範囲の上限を上回る場合に、モードＢを設定することを促す報知を行う。図８は、使用者へモード設定を促す報知の一例を示す図である。実施の形態１の貯湯式給湯機１００では、浴槽５０の排水状態において水位低下時間Ｔ１が基準範囲に属しない場合に、図８のようなメッセージがリモコン７１の表示部７１２に表示される。これにより、モード設定を使用者に促すことができるので、浴槽５０に適合した基準範囲を設定することが可能となる。
【００３９】
なお、上述のモード設定要否の判定は、例えば、機器の設置後の試運転モード或いは初回の湯張り完了から排水完了までの動作時等、機器の設置後の極力早い段階で実施することが好ましい。これにより、実際の使用下での浴槽水排水判定の誤判定を防ぐことができる。また、上述のモード設定要否の判定は、浴槽５０が確実に排水状態である場合に実行されることが要求される。そこで、モード設定要否の判定を行う場合には、例えば、判定の開始時に使用者に排水を促すメッセージ、判定中には浴槽水の汲み出しをしない旨の警告等、誤判定を防ぐためのメッセージをリモコン７１の表示部７１２に表示することとしてもよい。
【００４０】
また、制御部７０は、モード設定要否の判定において、更に排水異常を判定するように構成されている。より詳しくは、図７に示すように、制御部７０は、浴槽５０の排水状態において水位低下時間Ｔ１が第４基準値を更に上回る場合に、排水口の詰まり又は排水配管に異常がある可能性があると判定する。また、制御部７０は、浴槽５０の排水状態において水位低下時間Ｔ１が第３基準値を更に下回る場合に、排水配管に異常がある可能性があると判定する。判定された排水異常は、リモコン７１の表示部７１２に表示される。図９は、排水異常の報知例を示す図である。このような構成によれば、排水異常時において、使用者に点検を促すことができる。
【００４１】
ところで、上述した実施の形態１の貯湯式給湯機１００では、使用者へモード設定を促す報知として、リモコン７１の表示部７１２に表示する構成とした。しかしながら、使用者への報知はこれに限らず、例えば音声による報知等、他の報知手段による報知でもよい。このことは、排水異常の報知についても同様である。また、リモコン７１の表示部７１２に表示された報知は、リモコン７１の操作部７１１により解除可能に構成されていてもよい。
【００４２】
また、上述した実施の形態１の貯湯式給湯機１００では、浴槽水排水判定において、水位低下時間Ｔ１と基準範囲との比較を行う構成とした。しかしながら、浴槽水排水判定において使用可能な値は水位低下時間Ｔ１に限られない。すなわち、浴槽５０の水位が低下している過程の水位低下速度と相関を有する指標値であれば、例えば単位時間当たりの水位低下量でもよいし、また、水位低下速度であってもよい。
【００４３】
また、上述した実施の形態１の貯湯式給湯機１００では、排水状態で動作させる運転として洗浄運転を例示したが、排水状態を判定して動作させる運転はこれに限られない。すなわち、例えば、２次側循環ポンプ５２を動作させて浴槽水を利用側熱交換器２２に循環させて貯湯タンク１０から導かれた水との間で熱交換を行うふろ熱回収運転を行う場合において、排水状態を判定して当該運転を開始する構成としてもよい。
【符号の説明】
【００４４】
１  貯湯タンクユニット、  ２  給水配管、  ３  給湯配管、  １０  貯湯タンク、  １１  残湯サーミスタ、  ２１  循環ポンプ、  ２２  利用側熱交換器、  ２３  ふろ給湯配管、  ２４  電磁弁、  ２５  注水用微細気泡発生装置、  ３１  第１三方弁、  ３２  第２三方弁、  ３３  四方弁、  ４０  タンク下部配管、  ４１  ヒートポンプ入口配管、  ４２  ヒートポンプ出口配管、  ４３  第１タンク上部配管、  ４４  第２タンク上部配管、  ４５  タンク戻し配管、  ４６  利用側熱交換器１次側入口配管、  ４７  利用側熱交換器１次側出口配管、  ４８  バイパス配管、  ４９  タンク上部戻し配管、  ５０  浴槽、  ５１  浴槽水循環回路、  ５２  ２次側循環ポンプ、  ５３  浴槽出口側サーミスタ、  ５４  循環用微細気泡発生装置、  ５８  フロースイッチ、  ５９  水位センサ、  ６０  ヒートポンプユニット、  ６１  圧縮機、  ６２  沸き上げ用熱交換器、  ６３  膨張弁、  ６４  空気熱交換器、  ６５  冷媒循環配管、  ６６  出口側サーミスタ、  ７０  制御部、  ７１  リモコン、  １００  貯湯式給湯機、  ７０１  水位低下タイマー、  ７０２  排水検知カウンタ、  ７１１  操作部、  ７１２  表示部
【図１】
2018105575.tif 000003
【図２】
2018105575.tif 000004
【図３】
2018105575.tif 000005
【図４】
2018105575.tif 000006
【図５】
2018105575.tif 000007
【図６】
2018105575.tif 000008
【図７】
2018105575.tif 000009
【図８】
2018105575.tif 000010
【図９】
2018105575.tif 000011